(57)【要約】    【課題】遊技機に対する不正行為を効率的に防止することができるとともに、既存の遊技機および島設備を利用して、非常に容易に、かつ、安価に導入することが可能な遊技機用の不正監視システムを提供する    【解決手段】不正監視システムＳにおいては、パチンコ機を設置した設置台４１の裏側の板部材４７に、Ｌ字状の係止金具４２，４２・・が突設されている。また、監視制御装置である各Ｒ／Ｗユニット１，１・・には、それぞれ係止片９ａ，９ｂが突設されており、それらの各係止片９ａ，９ｂには、係止孔が穿設されている。そして、各Ｒ／Ｗユニット１，１・・は、係止片９ｂの係止孔に係止金具４２，４２を係止させることによって、設置台４１の板部材４７に吊り下げられている。【選択図】  図８
2005319034.tif 000002
【特許請求の範囲】
【請求項１】
遊技機の通常時には開放されない部材とその部材以外の部位とにＩＣタグとアンテナとが設置されており、監視制御装置からの指令に基づいて、それらのＩＣタグとアンテナとの間で無線通信を断続的に行い無線通信状態の変化を検知することにより、前記部材の不正開放の有無を監視する遊技機用監視システムであって、
前記遊技機が、中空状に形成された設置台に、表面を露出させた状態で設置されているとともに、
前記監視制御装置が、前記島設備の内側で、かつ、各遊技機の裏面の上方に位置した板部材に設置されていることを特徴とする遊技機用監視システム。
【請求項２】
島設備の裏側の板部材に、Ｌ字状の係止部材が突設されている一方、監視制御装置に、係止孔を穿設した係止片が突設されており、
前記監視制御装置が、前記係止部材を係止片の係止孔に係止させることによって、島設備の裏側の板部材に設置されていることを特徴とする請求項１に記載の遊技機用監視システム。
【請求項３】
監視制御装置が直方体状に形成されており、底面の隣り合う２辺から突出するように、２つの係止片が設けられており、各係止片にそれぞれ係止孔が穿設されていることを特徴とする請求項１、または請求項２に記載の遊技機用監視システム。
【発明の詳細な説明】
【技術分野】
【０００１】
本発明は、パチンコ機等の遊技機に対する不正行為の有無を監視するための遊技機用監視システムに関するものである。
【背景技術】
【０００２】
遊技機の一種であるパチンコ機においては、作動内容を制御するＲＯＭ等の制御素子を偽造されたものにすり替える不正行為が行われることがある。このため、かかる不正行為を防止するために、制御素子を収納した収納ボックスに封印シールを貼着したり、閉じる方向にのみ回転する封印ビスを用いて収納ボックスをかしめ止めして収納ボックスの開放を困難にする方法等が考案されている。
【０００３】
ところが、上記した封印シールを貼着する方法は、制御基板ボックスを開放して偽造されたＲＯＭへの交換が行われた後に、精巧な偽造封印シールを貼られてしまうと不正行為が行われたか否かを判断することができない。また、封印ビスによって収納ボックスをかしめ止めする方法は、封印ビスを特殊な工具で強制的に開放方向に回転させることにより収納ボックスが開放されてしまうおそれがある。
【０００４】
それゆえ、出願人は、制御基板収納ボックスの分割式収納ケースにＩＣタグとアンテナとを別々に設置するとともに、遊技機の制御装置を覆うセンターカバーの内部に監視制御装置を設置し、その監視制御装置を利用してそれらのＩＣタグとアンテナとの間で無線通信を短時間の周期で繰り返し実行させることによって、制御基板収納ボックスの不正開放の有無を監視する自動監視システムについて提案した。（特許文献１）。
【０００５】
【特許文献１】特開２００４−６５８０１号公報
【発明の開示】
【発明が解決しようとする課題】
【０００６】
上記したＩＣタグとアンテナにより不正の有無を監視する自動監視システムによれば、制御基板を収納した収納ボックスに対する不正行為を効率的に監視することができる。しかしながら、すでにパチンコホールに設置されている遊技機に、かかる自動監視システムを導入しようとする場合には、それらの遊技機内に監視制御装置を設置するためのスペースを設ける必要があるため、遊技機自体の改造を余儀なくされることとなり、多大な手間とコストを要してしまう。また、各遊技機メーカー毎に、制御装置を覆うセンターカバーの構造や制御装置を設置するための機構板の構造が異なるため、監視制御装置を容易に設置することができないという不具合もある。
【０００７】
本発明の目的は、上記従来の不正防止手段が有する問題点を解消し、遊技機に対する不正行為を効率的に防止することができるとともに、既存の遊技機および島設備を利用して、非常に容易に、かつ、安価に導入することが可能な遊技機用の不正監視システムを提供することにある。
【課題を解決するための手段】
【０００８】
かかる本発明の内、請求項１に記載された発明の構成は、遊技機の通常時には開放されない部材とその部材以外の部位とにＩＣタグとアンテナとが設置されており、監視制御装置からの指令に基づいて、それらのＩＣタグとアンテナとの間で無線通信を断続的に行い無線通信状態の変化を検知することにより、前記部材の不正開放の有無を監視する遊技機用監視システムであって、前記遊技機が、中空状に形成された設置台に、表面を露出させた状態で設置されているとともに、前記監視制御装置が、前記島設備の内側で、かつ、各遊技機の裏面の上方に位置した板部材に設置されていることにある。
【０００９】
請求項２に記載された発明の構成は、請求項１に記載された発明において、島設備の裏側の板部材に、Ｌ字状の係止部材が突設されている一方、監視制御装置に、係止孔を穿設した係止片が突設されており、前記監視制御装置が、前記係止部材を係止片の係止孔に係止させることによって、島設備の裏側の板部材に設置されていることにある。
【００１０】
請求項３に記載された発明の構成は、請求項１、または請求項２に記載された発明において、監視制御装置が直方体状に形成されており、底面の隣り合う２辺から突出するように、２つの係止片が設けられており、各係止片にそれぞれ係止孔が穿設されていることにある。
【発明の効果】
【００１１】
請求項１に記載された遊技機用監視システムによれば、遊技機内に監視制御装置を設置するためのスペースを設ける必要がないため、遊技機自体の改造等をすることなく、非常に容易にかつ安価に不正監視システムを導入することができる。
【００１２】
請求項２に記載された遊技機用監視システムによれば、監視制御装置の係止片に穿設された係止孔に、設置台に取り付けられた係止部材を係止させるだけで、工具等を要することなく、監視制御装置を非常に簡単に設置することができる。
【００１３】
請求項３に記載された遊技機用監視システムによれば、島設備の構造に応じて監視制御装置を縦向きに設置したり横向きに設置したりすることができるので、システム導入時に監視制御装置の設置スペースを容易に確保することができる。
【発明を実施するための最良の形態】
【００１４】
以下、本発明の一実施形態に係るパチンコ機用の監視システムについて、以下の目次にしたがい、図面に基づいて詳細に説明する。
１．監視制御装置の構成
２．監視システムの構成
３．監視システムの動作内容
４．監視システムの効果
５．監視システムの変更例
【００１５】
１．監視制御装置の構成
図１、図２は、監視システムにおいて監視制御装置として機能するＲ／Ｗユニットを示したものである。Ｒ／Ｗユニット１は、各種の制御素子を搭載した基板２を、合成樹脂（アクリル樹脂等）製のカバー３およびベース体４からなる分割式のケース１４で覆ったものである。
【００１６】
カバー３は、開口した箱状に形成されており、略長方形状のフロントパネル５の周囲が、略直角に後方に折り返された状態になっている。また、右上および左下には、第一コネクタ設置部６と第二コネクタ設置部７とが、それぞれ他の部分よりも内側に入り込むように設けられている。さらに、中央の下側には、配線挿通孔８が穿設されている。
【００１７】
一方、ベース体４は、扁平な直方体状に形成されており、左端縁および上端縁に、それぞれ、帯状の係止片９ａ，９ｂが突設されている。そして、それらの各係止片９ａ，９ｂには、それぞれ２つの係止孔１５，１５が穿設されている。
【００１８】
また、基板２の表面には、ＣＰＵ、ＲＡＭ、ＲＯＭ、ＥＥＰＲＯＭ等を一体にモールディングしたＩＣチップ１０、Ｉ／Ｏインターフェイスとして機能する入出力ポート１３、後述するアンテナとの間でのＲＦ（Radio Frequency）送受信を行うためのＲＦ回路１１、第一コネクタ１６、および第二コネクタ１７等が搭載されている。
【００１９】
Ｒ／Ｗユニット１は、カバー３とベース体４とが一体に組み付けられており、それらのカバー３およびベース体４によって基板２を覆った状態になっている。そして、基板２上のＩＣチップ１０等の制御素子が、外部と遮断された状態になっている。また、入出力ポート１３と接続されたケーブル１２が、配線挿通孔８から外部へ導出されている。
【００２０】
２．監視システムの構成
図３〜図５は、本発明の監視システムが採用されるパチンコ機を示したものである。パチンコ機２１は、周囲が機枠２２によって覆われており、その機枠２２には、遊技盤２３を嵌め込み設置したミドル枠２４が、左端縁を中心として開閉自在に取り付けられている。なお、ミドル枠２４に嵌め込まれた遊技盤２３には、各種の入賞装置が設置されており、遊技盤２３の前方には、ガラス扉３１が片開き自在に取り付けられている。また、パチンコ機２１の裏面には、パチンコ機２１の主たる動作（特定の入賞装置を断続的に開放する「大当たり状態」を生起させるか否かの決定等）を実行する主制御基板２５が、分割式の収納ケース２６に覆われた状態で設置されている。
【００２１】
また、パチンコ機の機枠２２には、所定の識別情報を記憶した機枠タグ（ＩＣタグ）２７が設置されており、ミドル枠２４には、閉じた状態で機枠タグ２７と対向する位置に、機枠タグ２７とＲＦ送受信可能な機枠アンテナ２８が設置されている。さらに、主制御基板２５を収納した分割式の収納ケース２６の片方には、所定の識別情報を記憶したケースタグ（ＩＣタグ）２９が設置されており、収納ケース２６の他方には、収納ケース２６を閉じた状態でケースタグ２９と対向する位置に、ケースタグ２９とＲＦ送受信可能なケースアンテナ３０が設置されている。
【００２２】
図６は、Ｒ／Ｗユニット１を用いたパチンコ機用の監視システム（以下、監視システムＳという）を示したものであり、図７は、監視システムＳを導入したパチンコホールの外観を示す説明図である。また、図８は、パチンコ機を設置した島設備の裏側の様子を示したものであり、図９は、パチンコ機１におけるＲ／Ｗユニット１の設置状態（図８におけるＡ−Ａ線断面）を示したものである。島設備である設置台４１の裏側の板部材４７には、各パチンコ機１，１・・の上方に、略Ｌ字状の係止金具４２，４２・・が螺着されている。そして、各Ｒ／Ｗユニット１，１・・は、ベース体４の上側に設けられた係止片６ｂあるいはベース体４の左側に設けられた係止片６ａに穿設された係止孔１５，１５に、係止金具４２の先端を挿通させることによって、設置台４１の裏面のパチンコ機１の上方に設置されている（吊り下げられている）。
【００２３】
また、監視システムＳにおいては、各Ｒ／Ｗユニット１，１・・（ＩＣチップ１０）は、ケーブル１２を介して、パチンコ機２１の主制御基板２５に接続されている。さらに、各Ｒ／Ｗユニット１，１・・は、第一コネクタ１６，１６およびその第一コネクタ１６，１６と接続されたアンテナケーブル１８，１８を介して、パチンコ機１の収納ケース２６に設置されたケースアンテナ３０およびパチンコ機１の機枠２２に設置された機枠アンテナ２８と接続されている（図８参照）。加えて、各Ｒ／Ｗユニット１，１・・は、図６の如く、ＬＡＮケーブル等の配線４３を介して、各設置台４１に設置された監視状態報知手段である警報表示器４４、およびパチンコホール全体を管理するホールコンピュータである管理装置４５と接続されている。
【００２４】
３．監視システムの動作内容
かかる監視システムＳにおいては、各Ｒ／Ｗユニット１，１・・が、接続されたパチンコ機１に設置されたケースアンテナ３０および機枠アンテナ２８を利用して、所定の周期（たとえば、５０ｍｓの周期）で、ケースタグ２９および機枠タグ２７とのＲＦ送受信を断続的に実行する（すなわち、ケースアンテナ３０および機枠アンテナ２８から呼出波を送信すると、その呼出波を受信したケースタグ２９および機枠タグ２７が、直ちに反射波を返信する）。したがって、収納ケース２６が不正に開放された場合には、ケースタグ２９とケースアンテナ３０との通信が不通となり、ミドル枠２４が不正に開放された場合には、機枠タグ２７と機枠アンテナ２８との通信が不通となる。そのような場合には、Ｒ／Ｗユニット１から、接続されたパチンコ機１、警報表示器４４、および管理装置４５へ「警戒信号」が送信されることにより、パチンコ機１の上方に設置された呼出ランプ４６が所定の態様で発光するとともに、警報表示器４４の警報ランプが所定の態様で発光し、管理装置４５の表示装置（図示せず）に所定のメッセージが表示される。パチンコホールの店員、管理者は、それらの報知により、収納ケース２６やミドル枠２４の不正開放の事態を直ちに検知することができる。
【００２５】
４．監視システムの効果
監視システムＳにおいては、上記の如く、パチンコ機１，１・・が、中空状に形成された設置台４１，４１・・に、表面を露出させた状態で設置されているとともに、監視制御装置であるＲ／Ｗユニット１が、設置台４１の内側で、各パチンコ機１，１・・の裏面の上方に位置した板部材４７に設置されている。したがって、監視システムＳによれば、各パチンコ機１，１・・の内部にＲ／Ｗユニット１を設置するためのスペースを設ける必要がないため、各パチンコ機１，１・・自体の改造等をすることなく、非常に容易にかつ安価に不正監視システムを導入することが可能となる。
【００２６】
また、監視システムＳにおいては、設置台４１の裏側の板部材４７に、Ｌ字状の係止部材である係止金具４２，４２・・が突設されている一方、各Ｒ／Ｗユニット１，１・・に係止片９ａ，９ｂが突設されているとともに、それらの係止片９ａ，９ｂに係止孔１５，１５が穿設されており、各Ｒ／Ｗユニット１，１・・が、係止片９ａ，９ｂの係止孔１５，１５に、係止金具４２，４２を係止させることによって、設置台４１の板部材４７に設置されている。したがって、監視システムＳによれば、各Ｒ／Ｗユニット１，１・・の係止片９ａ，９ｂに穿設された係止孔１５，１５に、設置台４１に取り付けられた係止金具４２，４２を挿通させるだけで、工具等を要することなく、非常に簡単に各Ｒ／Ｗユニット１，１・・を設置することができる。
【００２７】
さらに、監視システムＳは、各Ｒ／Ｗユニット１，１・・が直方体状に形成されており、底面の隣り合う２辺から突出するように、２つの係止片９ａ，９ｂが設けられており、それらの各係止片９ａ，９ｂに係止孔１５，１５が穿設されているため、パチンコホールの島設備の状態や設置台４１の構造に合わせて、各Ｒ／Ｗユニット１，１・・を縦向きに設置したり横向きに設置したりすることができる。したがって、監視システムＳによれば、不正監視システムの導入に際し、監視制御装置の設置スペースを容易に確保することができる。
【００２８】
５．監視システムの変更例
なお、本発明の不正監視システムの構成は、上記実施形態の態様に何ら限定されるものではなく、監視制御装置、遊技機、設置台、係止片、係止部材、ＩＣタグ、アンテナ等の形状・構造等の構成を、本発明の趣旨を逸脱しない範囲で、必要に応じて適宜変更することができる。
【００２９】
たとえば、監視制御装置は、ケースの係止片に設けられた係止孔を利用して、島設備の係止部材に係止させることによって設置台に設置するものに限定されず、木ネジ等を利用して島設備に設置するもの等でも良い。また、監視制御装置のケースは、２つの係止片を設けたものに限定されず、１つの係止片のみを設けたものでも良い。
【００３０】
また、本発明の遊技機用監視システムは、遊技機のミドル枠や主制御基板の監視のみを行うものに限定されず、ガラス扉に対する不正行為や遊技盤に設置された各種の入賞装置に対する不正行為を監視するもの等に変更することも可能であるし、不正監視の他に、遊技機に関する各種のデータを管理したり外部に提供したりするもの等に変更することも可能である。
【００３１】
なお、本発明の遊技機用監視システムは、上記実施形態の如くパチンコ機を監視するものに限定されず、スロットマシーン、スロットマシーン型パチンコ機等の他の遊技機を監視するものに変更することも可能である。
【産業上の利用可能性】
【００３２】
本発明の遊技機用監視システムは、上記の如く優れた効果を奏するものであるから、各種の遊技機用の不正監視システムとして好適に用いることができる。
【図面の簡単な説明】
【００３３】
【図１】監視制御装置の正面図である。
【図２】（ａ）は、監視制御装置の斜視図であり、（ｂ）は、監視制御装置の基板の斜視図である。
【図３】監視制御システムを搭載するパチンコ機の正面図である。
【図４】監視制御システムを搭載するパチンコ機（ミドル枠およびガラス扉を開放した状態）の斜視図である。
【図５】監視制御システムを搭載するパチンコ機の背面図である。
【図６】監視システムを示すブロック図である。
【図７】パチンコ機を設置したパチンコホールの様子を示す説明図である。
【図８】パチンコ機を設置した設置台の裏側の様子を示す説明図である。
【図９】監視制御装置の設置状態を示す説明図（図８におけるＡ−Ａ線断面図）である。
【符号の説明】
【００３４】
１・・Ｒ／Ｗユニット（監視制御装置）、９ａ，９ｂ・・係止片、１５・・係止孔、２１・・パチンコ機、２７・・機枠タグ、２８・・機枠アンテナ、２１・・機枠タグ、２９・・ケースタグ、３０・・ケースアンテナ、４１・・設置台、４２係止金具（係止部材）、４７・・板部材。
【図１】
2005319034.tif 000003
【図２】
2005319034.tif 000004
【図３】
2005319034.tif 000005
【図４】
2005319034.tif 000006
【図５】
2005319034.tif 000007
【図６】
2005319034.tif 000008
【図７】
2005319034.tif 000009
【図８】
2005319034.tif 000010
【図９】
2005319034.tif 000011